(57)【特許請求の範囲】
【請求項１】
幅方向に横パイプが設けられた筐体からなるベッドと、
前記横パイプの表面に取り付けられた一対の固定部及び前記一対の固定部の間に加わる荷重の変化を検出するロードセルを有する荷重検出器と、
前記荷重検出器により検出された前記荷重の変化に基づいて、生体情報を取得するコントローラと、
を備えたことを特徴とするベッドシステム。
【請求項２】
前記固定部は、前記横パイプの中央付近に取り付けられることを特徴とする請求項１に記載のベッドシステム。
【請求項３】
ベッドと、
前記ベッドのフレームを駆動するためのアクチュエータと、
前記アクチュエータのパイプを挟み込むように取り付けられた一対の固定部及び前記一対の固定部の間に加わる荷重の変化を検出するロードセルを有する荷重検出器と、
前記荷重検出器により検出された前記荷重の変化に基づいて、生体情報を取得するコントローラと、
を備えたことを特徴とするベッドシステム。
【請求項４】
前記コントローラは、前記荷重の変化に基づいて、少なくとも患者の動き、呼吸又は心拍の何れかを生体情報として取得することを特徴とする請求項１から３の何れか一項に記載のベッドシステム。
【請求項５】
前記固定部は、前記横パイプの表面にエポキシ系接着剤を用いて固定されることを特徴とする請求項１又は２に記載のベッドシステム。
【発明の詳細な説明】
【技術分野】
【０００１】
本発明は、ベッド用外付け荷重検出器に係り、特に、介護用ベッド、電動ベッド又は介護リフト等の病院又は介護施設の患者用装置又は健常者用ベッド（以下、総称してベッドという）において、荷重を測定して、重量、振動及び呼吸、心拍、体重などの生体情報を得る際に用いるのに好適な、ベッドの所要の箇所の荷重を容易に測定でき、ベッド製造時の他、使用中のベッドに後付けで設置することも容易に可能なベッド用外付け荷重検出器等に関する。
【背景技術】
【０００２】
近年、認知症の高齢者の徘徊及びベッド周りでの転倒や転落の事故が社会的な問題となっており、その対策が求められている。又、高齢者や術後間もない患者など、長期間にわたってベッドに在床している利用者のベッド上での動きをベッドの荷重情報によって監視することで、異常事態の際に、より迅速な対応ができることが期待されている。
【０００３】
この目的で、例えば特許文献１乃至３には、ベッドの脚部や脚部と床の間に荷重検出器を設けて荷重を直接測定したり、床部の昇降機構に荷重を間接的に測定するトルクセンサを設けることが記載されている。又、特許文献４、５には、荷重検出器をベッドのフレームに設けることが記載されている。
【先行技術文献】
【特許文献】
【０００４】
【特許文献１】特開平２−２８０７３３号公報
【特許文献２】特許第３０９３７４５号公報
【特許文献３】特許第３３２２６３２号公報
【特許文献４】特許第４８１８１６２号公報
【特許文献５】特許第４５１４７１７号公報
【特許文献６】特許第４８５７１５６号公報
【発明の概要】
【発明が解決しようとする課題】
【０００５】
一方近年、特許文献６に記載されているように、ベッドの背の部分を電動で動かすことができる電動ベッドが実用化されている。このような電動ベッドにおいては、ベッド昇降用アクチュエータに荷重検出器を取り付けることが考えられるが、従来は既存のベッドに容易に外付け可能な荷重検出器が存在しなかった。
【０００６】
本発明は、前記従来の問題点を解消するべくなされたもので、既存のベッドに容易に外付け可能なベッド用外付け荷重検出器等を提供する事を課題とする。
【課題を解決するための手段】
【０００７】
本発明は、ベッド用外付け荷重検出器であって、患者の動きにより変形するベッドの部材に固定される一対の固定部と、該固定部間に加わる荷重の変化を検出するロードセルとを備え、前記荷重の変化に基づいて、患者の動きや呼吸、心拍、体重に関する生体情報を取得できるようにして、前記課題を解決したものである。
【０００８】
ここで、前記一対の固定部をベッドの部材に固定するための各一対の固定具を更に備えることができる。
【０００９】
又、前記患者の動きにより変形するベッドの部材を、ベッドの筐体の一部を構成するパイプ又はベッドのフレームを駆動するためのアクチュエータのロッドパイプとすることができる。
【発明の効果】
【００１０】
本発明によれば、患者の動きにより変形するベッドの部材（例えばベッドの筐体の一部を構成するパイプ又はベッドのフレームを駆動するためのアクチュエータのロッドパイプ）に一対の固定部を固定し、該固定部間に加わる荷重の変化をロードセルで検出するようにしたので、既存のベッドに対してロードセルを容易に外付け可能であり、前記荷重の変化に基づいて、患者の動きや呼吸、心拍、体重に関する生体情報を容易に取得できる。
【図面の簡単な説明】
【００１１】
【図１】第１実施形態における電動ベッドの全体構成を斜め上方から見た斜視図。
【図２】第１実施形態における斜め下方から見た斜視図。
【図３】第１実施形態の電動ベッドへの取付状態を示す拡大斜視図。
【図４】第１実施形態を横パイプに取り付けた状態を示す拡大斜視図。
【図５】第１実施形態の構成を示す斜視図。
【図６】第１実施形態の測定画面を示す線図。
【図７】第１実施形態のソフトウェアで処理後の波形を示す線図。
【図８】第１実施形態を用いた異常検出回路の構成例を示すブロック図。
【図９】第２実施形態の構成を示す（Ａ）平面図、（Ｂ）正面図及び（Ｃ）側面図。
【図１０】第２実施形態における電動ベッドの要部構成を示す斜視図。
【図１１】第２実施形態における電動ベッドの要部構成の拡大斜視図。
【図１２】上述した実施形態におけるソフトウェアによる処理を示すフロー図。
【図１３】第４実施形態における構成を説明するための図。
【発明を実施するための形態】
【００１２】
以下、図面を参照して、本発明の実施の形態について詳細に説明する。なお、本発明は以下の実施形態及び実施例に記載した内容により限定されるものではない。又、以下に記載した実施形態及び実施例における構成要件には、当業者が容易に想定できるもの、実質的に同一のもの、いわゆる均等の範囲のものが含まれる。更に、以下に記載した実施形態及び実施例で開示した構成要素は適宜組み合わせてもよいし、適宜選択して用いてもよい。
【００１３】
本実施形態において取り付けられる電動ベッドは、図１及び図２に示す如く、主に、背ボトム２と、腰ボトム４と、膝ボトム５と、足ボトム７を備えている。
【００１４】
又、電動ベッド１の筐体には、横方向に円筒状のパイプ（横パイプと称する）８ａ、８ｂ、８ｃ、８ｄが数本設けられている。
【００１５】
前記電動ベッド１は、前記背ボトム２などを支持するフレーム３が、アクチュエータのロッドを構成するパイプ（アクチュエータパイプと称する）９（図２参照）の動きにより上下動するようになっており、これにより、ベッドの高さを調節することができるようになっている。
【００１６】
前記背ボトム２、腰ボトム４、膝ボトム５、及び足ボトム７の下方には、背ボトム２を上げるための背上げ装置（図示省略）と、膝ボトム５を上げるための膝上げ装置（図示省略）が設置されている。
【００１７】
そして、電動ベッド１の筐体の一部を構成する、患者下方の横パイプ８ａに、第１実施形態に係る外付け荷重検出器（以下、単に荷重検出器と称する）１０が装着されている。
【００１８】
前記荷重検出器１０は、図３（電動ベッドへの取付状態を示す拡大斜視図）、図４（パイプに取付けた状態を示す拡大斜視図）、及び図５（荷重検出器の構成を示す斜視図）に詳細に示す如く、横パイプ８ａの表面に固定される一対の固定部１２、１４と、該固定部１２、１４間に加わる荷重の変化を検出するためのロードセル１６と、を備えている。図において配線１８は、外部からロードセル１６に繋がる配線である。
【００１９】
前記固定部１２、１４は、例えばエポキシ系接着剤を用いて横パイプ８ａに固定されている。
【００２０】
これによりベッド筐体の荷重検出器１０取付部分（横パイプ８ａ）が歪むのを検出することができ、これから、該部分に加わる荷重や、その変化を検出して、電動ベッド１の筐体に伝わってくる、振動（波）を検出し、呼吸と心拍、体重を含む生体情報を検出することができる。従って、電動ベッド１の上に人が寝るだけで、非接触で、寝ている人の呼吸と心拍を検出することができる。
【００２１】
即ち、電動ベッド１の筐体には、寝ている人の呼吸、心拍の振動が伝わって来ているので、荷重検出器１０で振動（波）を検出することにより、図６（生波形）及び図７（ソフトウェアによる処理後の波形）に例示する如く、大きな波を呼吸、呼吸の波中に飛び出ているピークを心拍として検出可能となる。図７では、呼吸数や頂点検出機能などを入れて、計測データが見易くなっている。
【００２２】
前記荷重検出器１０を利用した異常検出回路の構成例を図８に示す。前記電動ベッド１内又はその外部にはコントローラ３０が備えられており、例えば閾値などの判定条件が判定条件設定部３２から設定される。するとコントローラ３０は荷重検出器１０の出力を感知し、判定条件を満足した場合（例えば閾値を超えた場合）には、表示警報部３４に出力して監視者に対する表示や警報を行うことができる。
【００２３】
本実施形態においては、電動ベッド１の筐体を構成する横パイプ８ａに荷重検出器１０を取付けていたので、振動が出やすい。
【００２４】
なお、前記第１実施形態に係る荷重検出器１０においては、固定部１２、１４が接着により横パイプ８ａに固定されていたが、固定部１２、１４の取付対象や、取付対象への固定方法はこれに限定されず、図９に示す第２実施形態に係る荷重検出器４０のように、それぞれ一対のＣ形固定具２０、２２と、２４、２６とを用いて、例えばボルト３１を用いたねじ止めにより、取付対象（ここではアクチュエータパイプ９）と固定部１２、１４を挟む形で取付対象に荷重検出器４０を固定する事も可能である。
【００２５】
この第２実施形態に係る荷重検出器４０は、前出図３中及び図１０（第２実施形態が取り付けられた電動ベッドの要部構成を示す斜視図）、図１１（同じく拡大斜視図）に示すように、図２に示したアクチュエータパイプ９に取付けることができる。
【００２６】
このようにして、挟み込んだ部分のアクチュエータパイプ９が歪むのを検出することができる。
【００２７】
前記のようにして、既存のベッドに荷重検出器１０及び／又は４０を取り付けて、その信号により患者の動きや呼吸、心拍、体重に関する生体情報を取得可能となる。
【００２８】
なお、前記実施形態においては、本発明が電動ベッドに適用されていたが、本発明の適用対象はこれに限定されず、電動化されていない介護用ベッドや介護リフト、更には健常者用ベッドにも適用可能である。又、荷重検出器１０や４０の取付対象も患者下方の横パイプ８ａやアクチュエータパイプ９に限定されず、図１、図２中に示した他の部分の横パイプ８ｂ、８ｃ、８ｄや縦パイプ等、患者の動きや呼吸、心拍による振動が伝わる任意の部分に取付ることができる。
【００２９】
また、荷重検出器１０及び／又は４０から検出された信号（センサ信号）から、生体信号を取り出す処理として、図１２を利用して説明する。
【００３０】
まず、センサ信号が入力されたら（ステップＳ１０２）、当該信号を増幅処理を実行する（ステップＳ１０４）。例えば、ハードウェアとして差動アンプを利用しても良いし、ソフトウェアとして増幅処理を実行しても良い。
【００３１】
次に、増幅した信号からノイズ除去処理を実行する（ステップＳ１０６）。ノイズ除去処理としては、例えば、ＨＰＦ／ＬＰＦや利得調整回路によりノイズ除去を行っても良いし、増幅された信号に対して高速フーリエ変換等の処理を実行して、ノイズ成分を除去しても良い。
【００３２】
つづいて、Ａ／Ｄ変換処理によりデジタル信号に変換し（ステップＳ１０８）、生体信号フィルタを利用することにより（ステップＳ１１０）、生体信号を取り出す（ステップＳ１１２）。
【００３３】
このように、荷重検出器から生体情報を判別し、取り出すためには、ハードウェアで実現されても良いし、ソフトウェアで実現されても良い。
【００３４】
また、上述の実施形態では、荷重検出器１０を横パイプ８ａの中央部分に設けることとして説明したが、ベッドの振動を検出できる、すなわち歪みがでる箇所であれば他の箇所であっても良い。
【００３５】
例えば、横パイプ８ａの端部の位置に設けても良いし、図４の部材１１のような位置に設けても良い。この位置は、例えば、ベッド装置の３Ｄ−ＣＡＤのデータから、歪みが出やすい位置を算出し、決定しても良いし、実際に荷重検出器１０を設けて値を取得することで、好適の位置を決定しても良い。
【００３６】
第３実施形態としては、荷重検出器１０を複数設けることとしても良い。例えば、電動ベッド１における歪みの方向として、Ｘ方向、Ｙ方向、Ｚ方向の歪みが検出出来る位置に、荷重検出器１０を設けることとする。そして、荷重検出器から各方向の歪みを検出し、生体情報を取得することとしても良い。
【００３７】
第４実施形態としては、荷重検出器１０を電動ベッド１に複数設けることにより、患者の位置や、離床在床を検出しても良い。例えば、図１３は、電動ベッド１を模式的に説明するための図である。この電動ベッド１の３箇所に荷重検出器１０ａ、１０ｂ、１０ｃを設けることとする。
【００３８】
例えば、横パイプ８ａの中央に荷重検出器１０ａを、横パイプ８ｂの左右に荷重検出器１０ｂ、１０ｃを設けるとする。そして、各荷重検出器１０ａ、１０ｂ、１０ｃにより検出された荷重から、電動ベッド１上における重心を求めることが可能となる。
【００３９】
これにより、例えば、患者の在床／離床状態を検出することが出来たり、更に荷重の重心から患者の位置を検出したりすることができる。また、荷重検出器１０ａ、１０ｂ、１０ｃに係る荷重を検出することにより、患者の状態（例えば、仰臥位であったり、端座位であったり等）を判定することができる。
【００４０】
続いて第５実施形態について説明する。上述した荷重検出器１０は、配線１８により検出された荷重の信号を外部機器（例えば、コントローラ３０）に接続することと説明したが、第５実施形態では、例えば通信手段を更に備えている実施形態について説明する。
【００４１】
例えば、荷重検出器１０に、無線通信手段（例えば、Ｂｌｕｅｔｏｏｔｈ（登録商標）や、ＺｉｇＢｅｅ（登録商標）、ワイヤレスＵＳＢ等）を備えることとする。そして、検出された荷重信号を、管理サーバに送信したり、スマートフォン等の携帯端末装置に送信したりする。
【００４２】
荷重信号を管理サーバに送信することにより、管理サーバ側では、一括して患者の状態や、生体情報を取得し、管理することが可能となる。また、荷重信号を携帯端末装置に送信することにより、容易に患者の状態を把握することが可能となる。
【００４３】
例えば、電動ベッド１が家庭で利用される場合に、家族が利用しているスマートフォン等の携帯端末装置に、荷重検出器１０と通信可能なアプリケーションをインストールする。そうすることにより、携帯端末装置で、容易に患者の離床／在床を把握出来たり、患者の状態を把握出来たりすることが可能となる。
【００４４】
このように、上述した実施形態に記載した荷重検出器は、電動ベッドを初めとするベッド装置に、後から容易に荷重検出器を取り付けることが可能となる。また、歪みがでる場所に荷重検出器を設けることにより、従来の荷重センサより、より精度の高い荷重検出を行うことも可能となる。
【００４５】
例えば、アクチュエータに歪みセンサを設ける場合には、アクチュエータ内の部品の影響により荷重の総てが歪みセンサに伝わらない。また、アクチュエータの軸方向へ総ての力が伝わることはないため、荷重分解能は低下してしまう。
【００４６】
また、アクチュエータまでには、介在物が多くなるため、ノイズの影響を受けやすいという問題も生じる。とくに、アクチュエータが動作しているときには、大きなノイズが加わってしまい、信頼性が低下してしまう。
【００４７】
ロードセルをベッド装置に内蔵する方法は信頼性が高いが、コストが高く、現在設置されているベッド装置に後付けで設けるということは難しい。
【００４８】
それに対して、本実施形態の荷重検出器では、ベッド装置の構造を事前に把握することにより、ベッド装置毎に荷重が加わる箇所を求め、当該箇所に荷重検出器を設けることが出来る。また、複数箇所設けることにより、複数方向の荷重を取得することが可能となり、偏荷重も取得可能となる。これにより、信頼性の高いデータを取得することができる。
【００４９】
なお、荷重検出器を設けるものとしては、ベッド装置を例に説明したが、例えば、車椅子等の他の装置においても、歪みが出る位置に設けることにより同様の効果が期待できる。
【００５０】
このように、患者の動きによって変形する箇所、歪みが出る箇所における変形量、歪み量を検出する。そして、検出された変形量等から、荷重を検出することができる。この検出された荷重又は荷重の変化に基づいて、生体情報を取得することができる。
【符号の説明】
【００５１】
１…電動ベッド
２…背ボトム
３…フレーム
４…腰ボトム
５…膝ボトム
７…足ボトム
８ａ、８ｂ、８ｃ、８ｄ…横パイプ
９…アクチュエータパイプ
１０、４０…荷重検出器
１２、１４…固定部
１６…ロードセル
２０、２２、２４、２６…固定具
３０…コントローラ
３１…ボルト
【図１】
0006757642.tif 000002
【図２】
0006757642.tif 000003
【図３】
0006757642.tif 000004
【図４】
0006757642.tif 000005
【図５】
0006757642.tif 000006
【図６】
0006757642.tif 000007
【図７】
0006757642.tif 000008
【図８】
0006757642.tif 000009
【図９】
0006757642.tif 000010
【図１０】
0006757642.tif 000011
【図１１】
0006757642.tif 000012
【図１２】
0006757642.tif 000013
【図１３】
0006757642.tif 000014